(57)【要約】【課題】位置の異なる２つの照明窓から照明光を照射して撮像された画像信号に現れる配光分布の違いを正しく補正することができ、正確な狭帯域光画像を得ることができる内視鏡診断装置を提供する。【解決手段】内視鏡診断装置は、異なる位置に配置された第１および第２の照明窓を有し、第１の照明光を第１の照明窓から照射して撮像した第１の画像の画像信号、第３の照明光を内視鏡スコープの先端部に配置された蛍光体に照射することによって、蛍光体から発せられる疑似白色光である第２の照明光を第２の照明窓から照射して撮像した第２の画像の画像信号、および、第３の照明光を第１の照明窓からもしくは第１の照明光を第２の照明窓から照射して撮像した第３の画像の画像信号を取得する内視鏡装置と、第１および第２の画像の画像信号に現れる第１および第２の照明光の配光分布の違いを、第３の画像の画像信号を用いて補正する配光分布補正手段とを備える。【選択図】  図２
2012100733.tif 000002
【特許請求の範囲】
【請求項１】
照明光を被検体に照射して該被検体の画像を撮像する内視鏡診断装置であって、
内視鏡スコープの先端部の異なる位置に配置された第１および第２の照明窓を有し、第１の照明光を前記第１の照明窓から照射して撮像した第１の画像の画像信号、第３の照明光を前記内視鏡スコープの先端部に配置された蛍光体に照射することによって、該蛍光体を透過した第３の照明光および該蛍光体から発せられる励起発光光を含む疑似白色光である第２の照明光を前記第２の照明窓から照射して撮像した第２の画像の画像信号、および、前記第３の照明光を前記第１の照明窓からもしくは前記第１の照明光を前記第２の照明窓から照射して撮像した第３の画像の画像信号を取得する内視鏡装置と、
前記第１および第２の画像の画像信号に現れる前記第１および第２の照明光の配光分布の違いを、前記第３の画像の画像信号を用いて補正する配光分布補正手段とを備えることを特徴とする内視鏡診断装置。
【請求項２】
前記内視鏡装置は、前記第３の照明光を前記第１の照明窓から照射して撮像した第３の画像の画像信号を取得するものであり、
前記配光分布補正手段は、前記第２および第３の画像の画像信号に基づいて補正係数を算出し、該補正係数を用いて前記第１の画像の画像信号を補正するものである請求項１に記載の内視鏡診断装置。
【請求項３】
前記内視鏡装置は、前記第１の照明光を前記第２の照明窓から照射して撮像した第３の画像の画像信号を取得するものであり、
前記配光分布補正手段は、前記第１および第３の画像の画像信号に基づいて補正係数を算出し、該補正係数を用いて前記第２の画像の画像信号を補正するものである請求項１に記載の内視鏡診断装置。
【請求項４】
さらに、照明光の正反射によって前記第１〜第３の画像上に現れる白色の輝点領域の信号を前記第１〜第３の画像の画像信号から除去する輝点領域除去手段を備え、
前記配光分布補正手段は、前記輝点領域除去手段によって前記白色の輝点領域の信号が除去された第１〜第３の画像の画像信号に基づいて、前記第１および第２の照明光の配光分布の違いを補正するものである請求項１〜３のいずれかに記載の内視鏡診断装置。
【請求項５】
さらに、前記第１〜第３の画像の画像信号から低周波成分の信号を抽出する低周波成分抽出手段を備え、
前記配光分布補正手段は、前記低周波成分抽出手段によって前記第１〜第３の画像の画像信号から抽出された低周波成分の信号に基づいて、前記第１および第２の照明光の配光分布の違いを補正するものである請求項１〜４のいずれかに記載の内視鏡診断装置。
【請求項６】
さらに、前記配光分布補正手段によって配光分布の違いが補正された第１および第２の画像の画像信号に基づいて、血中ヘモグロビンの酸素飽和度の情報を算出する酸素飽和度算出手段と、
前記酸素飽和度の情報に基づいて、酸素飽和度の分布を疑似カラー画像として表示する画像表示手段とを備える請求項１〜５のいずれかに記載の内視鏡診断装置。
【請求項７】
前記内視鏡装置は、第１フレームで、前記第１の照明光として中心波長４７３ｎｍの光を前記第１の照明窓から照射し、その反射光を撮像して前記第１の画像の画像信号を取得し、第２フレームで、前記第３の照明光として中心波長４４５ｎｍの光を前記蛍光体に照射することによって、前記第２の照明光として該蛍光体から発せられる疑似白色光を前記第２の照明窓から照射し、その反射光を撮像して前記第２の画像の画像信号を取得し、第３フレームで、前記第３の照明光を前記第１の照明窓からもしくは前記第１の照明光を前記第２の照明窓から照射し、その反射光を撮像して前記第３の画像の画像信号を取得するものである請求項１〜６のいずれかに記載の内視鏡診断装置。
【請求項８】
前記内視鏡装置は、第１フレームで、前記第１の照明光として中心波長４０５ｎｍの光を前記第１の照明窓から照射し、被検体から発せられる自家蛍光を撮像して前記第１の画像の画像信号を取得し、第２フレームで、前記第３の照明光として中心波長４４５ｎｍの光を前記蛍光体に照射することによって、前記第２の照明光として該蛍光体から発せられる疑似白色光を前記第２の照明窓から照射し、その反射光を撮像して前記第２の画像の画像信号を取得し、第３フレームで、前記第３の照明光を前記第１の照明窓からもしくは前記第１の照明光を前記第２の照明窓から照射し、その反射光を撮像して前記第３の画像の画像信号を取得するものである請求項１〜６のいずれかに記載の内視鏡診断装置。
【発明の詳細な説明】
【技術分野】
【０００１】
本発明は、内視鏡スコープの先端部の異なる位置に配置された２つの照明窓を有し、これら２つの照明窓から被検体に照射される照明光の配光分布の違いを補正する機能を有する内視鏡診断装置に関するものである。
【背景技術】
【０００２】
近年の医療分野では、電子内視鏡を用いた診断や治療が数多く行なわれている。電子内視鏡は、被検者の体腔内に挿入される細長の挿入部を備えており、この挿入部の先端にはＣＣＤなどの撮像装置が内蔵されている。また、電子内視鏡は光源装置に接続されており、光源装置で発せられた光は、挿入部の先端から体腔内部に対して照射される。このように体腔内部に光が照射された状態で、体腔内の被検体組織が、挿入部の先端の撮像装置によって撮像される。撮像により得られた画像は、電子内視鏡に接続されたプロセッサ装置で各種処理が施された後、モニタに表示される。したがって、電子内視鏡を用いることによって、被検者の体腔内の画像をリアルタイムに確認することができるため、診断などを確実に行うことができる。
【０００３】
光源装置には、波長が青色領域から赤色領域にわたる白色の広帯域光を発することができるキセノンランプなどの白色光光源が用いられている。体腔内の照射に白色の広帯域光を用いることで、撮像画像から被検体組織全体を把握することができる。しかしながら、広帯域光を照射したときに得られる撮像画像からは、被検体組織全体を大まかに把握することはできるものの、微細血管、深層血管、ピットパターン（腺口構造）、陥凹や隆起といった凹凸構造などの被検体組織は明瞭に観察することが難しいことがある。このような被検体組織に対しては、特定の波長範囲に制限した狭帯域光を照射することで、明瞭に観察できるようになることが知られている。また、狭帯域光を照射したときの画像データから、血管中の酸素飽和度など被検体組織に関する各種情報を取得し、その取得した情報を画像化させることが知られている。
【０００４】
例えば、特許文献１では、狭帯域光を用いて酸素飽和度画像を得るものとして、キセノンランプから発せられる広帯域光から、帯域制限フィルタにより、近赤外領域の３波長の狭帯域光（ＩＲ１，ＩＲ２，ＩＲ３）、または、可視光領域の３波長の狭帯域光（Ｇ１，Ｇ２，Ｇ３）を分離して、各狭帯域光の画像を面順次で取得する例が示されている。いずれの組み合わせも、血中ヘモグロビンの酸素飽和度に応じて光の吸収度（吸光度）が変化する波長範囲の２つの狭帯域光と変化しない波長範囲の１つの狭帯域光とを組み合わせたものになっている。また、特許文献１には、３波長の狭帯域光に対応する３つの信号のうち２つを選択し、その差を検出して酸素飽和度画像をモノクロあるいは疑似カラーで表示することが記載されている。
【０００５】
また、所定の波長範囲の励起光（狭帯域光）を被検体の被観察領域に照射することにより、被検体から発せられる自家蛍光を撮像素子で撮像して自家蛍光画像を取得し、モニタ画面上に表示する蛍光内視鏡装置が知られている。例えば、特許文献２には、生体組織の自家蛍光を観察する電子内視鏡プロセッサであって、白色光と励起光を交互に照射し、白色光画像を参照画像として、参照画像の画像データと蛍光画像の画像データとの差分を算出して患部画像データを抽出し、参照画像の画像データと患部画像データを合成することにより、病変部における蛍光の減衰を観察しやすくする方法が記載されている。
【先行技術文献】
【特許文献】
【０００６】
【特許文献１】特許２６４８４９４号公報
【特許文献２】特開２００５−３４９００７号公報
【発明の概要】
【発明が解決しようとする課題】
【０００７】
上記特許文献２には、上記の内視鏡装置において、白色光と励起光の波長が異なる、つまり、両者の屈折率が異なるために、内視鏡スコープから出射されるこれらの光の配光分布が異なり、上記の蛍光画像が正しく表示されないという問題が提起されている。
【０００８】
これに対し、特許文献２には、以下の方法でこの問題を解決することが提案されている。つまり、特許文献２の電子内視鏡プロセッサでは、実際の蛍光観察前に、内面に標準被写体を備えたキャップをスコープの先端部に取り付けて、標準被写体の白色光画像と励起光画像を取得し、励起光画像を白色光画像にほぼ一致させる補正値を算出し、実際の蛍光観察時に、この補正値を用いて蛍光画像を補整している。
【０００９】
しかし、特許文献２に記載の補正方法では、補正データはキャップを装着した時の配光光学系とキャップ内面の標準被写体の位置関係の場合のみに対応する。ところが、実際に生体組織を観察する時には、スコープと被写体組織との位置関係は距離、角度ともに様々に変化する。そのため、特許文献２の補正方法では、白色光と励起光との間の配光分布の違いを正しく補正できない可能性があるという問題点があった。
【００１０】
また、近年では、２系統もしくは４系統の照明光学系を備え、内視鏡スコープの先端部のそれぞれ異なる位置に配置された照明窓から、白色光と狭帯域光を照射する内視鏡装置が提案されている。このように、異なる位置に配置された照明窓から照射される白色光と狭帯域光についても同様に、両者の配光分布が異なるため、酸素飽和度画像や蛍光画像等の狭帯域光画像が正しく表示されない場合があるという問題がある。
【００１１】
本発明の目的は、位置の異なる２つの照明窓から照明光を照射して撮像された画像信号に現れる配光分布の違いを正しく補正することができ、正確な狭帯域光画像を得ることができる内視鏡診断装置を提供することにある。
【課題を解決するための手段】
【００１２】
上記目的を達成するために、本発明は、照明光を被検体に照射して該被検体の画像を撮像する内視鏡診断装置であって、
内視鏡スコープの先端部の異なる位置に配置された第１および第２の照明窓を有し、第１の照明光を前記第１の照明窓から照射して撮像した第１の画像の画像信号、第３の照明光を前記内視鏡スコープの先端部に配置された蛍光体に照射することによって、該蛍光体を透過した第３の照明光および該蛍光体から発せられる励起発光光を含む疑似白色光である第２の照明光を前記第２の照明窓から照射して撮像した第２の画像の画像信号、および、前記第３の照明光を前記第１の照明窓からもしくは前記第１の照明光を前記第２の照明窓から照射して撮像した第３の画像の画像信号を取得する内視鏡装置と、
前記第１および第２の画像の画像信号に現れる前記第１および第２の照明光の配光分布の違いを、前記第３の画像の画像信号を用いて補正する配光分布補正手段とを備えることを特徴とする内視鏡診断装置を提供するものである。
【００１３】
ここで、前記内視鏡装置は、前記第３の照明光を前記第１の照明窓から照射して撮像した第３の画像の画像信号を取得するものであり、
前記配光分布補正手段は、前記第２および第３の画像の画像信号に基づいて補正係数を算出し、該補正係数を用いて前記第１の画像の画像信号を補正するものであることが好ましい。
【００１４】
また、前記内視鏡装置は、前記第１の照明光を前記第２の照明窓から照射して撮像した第３の画像の画像信号を取得するものであり、
前記配光分布補正手段は、前記第１および第３の画像の画像信号に基づいて補正係数を算出し、該補正係数を用いて前記第２の画像の画像信号を補正するものであることが好ましい。
【００１５】
さらに、照明光の正反射によって前記第１〜第３の画像上に現れる白色の輝点領域の信号を前記第１〜第３の画像の画像信号から除去する輝点領域除去手段を備え、
前記配光分布補正手段は、前記輝点領域除去手段によって前記白色の輝点領域の信号が除去された第１〜第３の画像の画像信号に基づいて、前記第１および第２の照明光の配光分布の違いを補正するものであることが好ましい。
【００１６】
さらに、前記第１〜第３の画像の画像信号から低周波成分の信号を抽出する低周波成分抽出手段を備え、
前記配光分布補正手段は、前記低周波成分抽出手段によって前記第１〜第３の画像の画像信号から抽出された低周波成分の信号に基づいて、前記第１および第２の照明光の配光分布の違いを補正するものであることが好ましい。
【００１７】
さらに、前記配光分布補正手段によって配光分布の違いが補正された第１および第２の画像の画像信号に基づいて、血中ヘモグロビンの酸素飽和度の情報を算出する酸素飽和度算出手段と、
前記酸素飽和度の情報に基づいて、酸素飽和度の分布を疑似カラー画像として表示する画像表示手段とを備えることが好ましい。
【００１８】
また、前記内視鏡装置は、第１フレームで、前記第１の照明光として中心波長４７３ｎｍの光を前記第１の照明窓から照射し、その反射光を撮像して前記第１の画像の画像信号を取得し、第２フレームで、前記第３の照明光として中心波長４４５ｎｍの光を前記蛍光体に照射することによって、前記第２の照明光として該蛍光体から発せられる疑似白色光を前記第２の照明窓から照射し、その反射光を撮像して前記第２の画像の画像信号を取得し、第３フレームで、前記第３の照明光を前記第１の照明窓からもしくは前記第１の照明光を前記第２の照明窓から照射し、その反射光を撮像して前記第３の画像の画像信号を取得するものであることが好ましい。
【００１９】
また、前記内視鏡装置は、第１フレームで、前記第１の照明光として中心波長４０５ｎｍの光を前記第１の照明窓から照射し、被検体から発せられる自家蛍光を撮像して前記第１の画像の画像信号を取得し、第２フレームで、前記第３の照明光として中心波長４４５ｎｍの光を前記蛍光体に照射することによって、前記第２の照明光として該蛍光体から発せられる疑似白色光を前記第２の照明窓から照射し、その反射光を撮像して前記第２の画像の画像信号を取得し、第３フレームで、前記第３の照明光を前記第１の照明窓からもしくは前記第１の照明光を前記第２の照明窓から照射し、その反射光を撮像して前記第３の画像の画像信号を取得するものであることが好ましい。
【発明の効果】
【００２０】
本発明によれば、第１および第２の照明窓から照射される照明光の配光分布の違いを補正することにより、正確な酸素飽和度画像や蛍光画像等の狭帯域光画像を得ることができるため、医師による診断精度を向上させることができる。
【図面の簡単な説明】
【００２１】
【図１】本発明に係る内視鏡診断装置の構成を表す第１の実施形態の外観図である。
【図２】図１に示す内視鏡診断装置の内部構成を表すブロック図である。
【図３】内視鏡スコープの先端部の正面図である。
【図４】青色レーザ光源からの青色レーザ光および青色レーザ光が蛍光体により波長変換された発光スペクトルを示すグラフである。
【図５】Ｒ色、Ｇ色、Ｂ色のカラーフィルタの分光透過率を示すグラフである。
【図６】ヘモグロビンの吸光係数を示すグラフである。
【図７】信号比Ｂ／ＧおよびＲ／Ｇと、血液量および酸素飽和度との相関関係を表すグラフである。
【図８】本発明に係る内視鏡診断装置の構成を表す第２の実施形態の外観図である。
【図９】図８に示す内視鏡診断装置の内部構成を表すブロック図である。
【図１０】励起光カットフィルタの分光透過率特性を表すグラフである。
【発明を実施するための形態】
【００２２】
以下、添付の図面に示す好適実施形態に基づいて、本発明に係る内視鏡診断装置を詳細に説明する。
【００２３】
図１は、本発明に係る内視鏡診断装置の構成を表す第１の実施形態の外観図、図２は、その内部構成を表すブロック図である。これらの図に示すように、内視鏡診断装置１０は、所定の波長範囲の光を発生する光源装置１２と、光源装置１２から発せられる光を導光して被検体の被観察領域に照明光を照射し、その反射光等を撮像する内視鏡装置１４と、内視鏡装置１４で撮像した画像信号を画像処理するプロセッサ装置１６と、プロセッサ装置１６で画像処理して得られた内視鏡画像等を表示する表示装置１８と、入力操作を受け付ける入力装置２０とによって構成されている。
【００２４】
ここで、内視鏡診断装置１０は、白色光を被検体に照射し、その反射光を撮像して白色光画像を表示（して観察）する白色光観察モードと、波長範囲の異なる３つ以上の反射光に対応する画像信号に基づいて算出された血中ヘモグロビンの酸素飽和度を疑似カラー画像として表示（して観察）する酸素飽和度観察モードとを有する。観察モードは、内視鏡装置１４の切り替えスイッチ６３や入力装置２０から入力される指示に基づき、適宜切り替えられる。
【００２５】
光源装置１２は、光源制御部２２と、それぞれ波長範囲の異なるレーザ光を発する２種のレーザ光源ＬＤ１，ＬＤ２と、コンバイナ２４と、カプラ２６とによって構成されている。
【００２６】
本実施形態において、レーザ光源ＬＤ１，ＬＤ２からは、それぞれ、中心波長が４７３ｎｍ、４４５ｎｍである、所定の波長範囲（例えば、中心波長±１０ｎｍ）の狭帯域光が発せられる。レーザ光源ＬＤ１は、酸素飽和度観察用の狭帯域光画像を撮像するための光源であり、レーザ光源ＬＤ２は、励起光を照射して、後述する内視鏡スコープの先端部に配置された蛍光体から白色光（疑似白色光）を発生させるための白色光観察用の光源である。また、レーザ光源ＬＤ１，ＬＤ２は、後述する第１および第２の照明窓から照射される光の配光分布を補正するための光源でもある。
【００２７】
レーザ光源ＬＤ１，ＬＤ２は、プロセッサ装置１６の制御部６４によって制御される光源制御部２２によりそれぞれ個別にオンオフ制御および光量制御が行われ、各レーザ光源ＬＤ１，ＬＤ２の発光のタイミングや光量比は変更自在になっている。
【００２８】
上記のレーザ光源ＬＤ１，ＬＤ２は、ブロードエリア型のＩｎＧａＮ系レーザダイオードが利用でき、また、ＩｎＧａＮＡｓ系レーザダイオードやＧａＮＡｓ系レーザダイオード等を用いることもできる。
【００２９】
各レーザ光源ＬＤ１，ＬＤ２から発せられるレーザ光は、集光レンズ（図示略）を介してそれぞれ対応する光ファイバに入力され、合波器であるコンバイナ２４により合波され、分波器であるカプラ２６により４系統の光に分波されてコネクタ部３２Ａに伝送される。なお、これに限らず、コンバイナ２４およびカプラ２６を用いずに、各レーザ光源ＬＤ１，ＬＤ２からのレーザ光を直接コネクタ部３２Ａに送出する構成としてもよい。
【００３０】
続いて、内視鏡装置１４は、被検体内に挿入される内視鏡スコープの先端から４系統（４灯）の照明光を出射する照明光学系と、被観察領域を撮像する１系統の撮像光学系とを有する、電子内視鏡である。内視鏡装置１４は、内視鏡スコープ２８と、その先端の湾曲操作や観察のための操作を行う操作部３０と、内視鏡装置１４を光源装置１２およびプロセッサ装置１６に着脱自在に接続するコネクタ部３２Ａ，３２Ｂとを備えている。
【００３１】
内視鏡スコープ２８は、可撓性を持つ軟性部３４と、湾曲部３６と、スコープ先端部３８とから構成されている。
【００３２】
湾曲部３６は、軟性部３４とスコープ先端部３８との間に設けられ、操作部３０に配置されたアングルノブ４０の回動操作により湾曲自在に構成されている。この湾曲部３６は、内視鏡装置１４が使用される被検体の部位等に応じて、任意の方向、任意の角度に湾曲でき、スコープ先端部３８を、所望の観察部位に向けることができる。
【００３３】
スコープ先端部３８には、図２に示すように、被観察領域へ光を照射する２つの照明窓４２Ａ，４２Ｂと、被観察領域からの反射光等を撮像する１つの観察窓４３が配置されている。
【００３４】
照明窓４２Ａの奥には、２系統の光ファイバ４４Ａ，４４Ｂが収納されている。光ファイバ４４Ａ，４４Ｂは、光源装置１２からコネクタ部３２Ａを介してスコープ先端部３８まで敷設されている。光ファイバ４４Ａの先端部（照明窓４２Ａ側）にはレンズ４６Ａ等の光学系が取り付けられている。一方、光ファイバ４４Ｂの先端部には蛍光体４８Ａが配置され、さらに蛍光体４８Ａの先にレンズ４６Ｂ等の光学系が取り付けられている。
【００３５】
同様に、照明窓４２Ｂの奥には、先端部にレンズ４６Ｃ等の光学系を有する光ファイバ４４Ｃと、先端部に蛍光体４８Ｂおよびレンズ４６Ｄ等の光学系を有する光ファイバ４４Ｄの、２系統の光ファイバが収納されている。
【００３６】
図３は、内視鏡スコープの先端部の正面図である。照明窓４２Ａ，４２Ｂは、観察窓４３を挟んでその両脇側に配置されている。そして、照明窓４２Ａ，４２Ｂ内に収納された４本の光ファイバ４４Ａ〜４４Ｄは、蛍光体４８Ａ，４８Ｂを備える光ファイバ４４Ｂ，４４Ｄ同士を結ぶ直線Ｌ１と、蛍光体を備えていない光ファイバ４４Ａ，４４Ｃ同士を結ぶ直線Ｌ２とが、観察窓４３の中心部Ｐで交差するように互い違いに配置されている。このように光ファイバ４４Ａ〜４４Ｄを配置することによって、照明むらの発生を防止することができる。
【００３７】
なお、以下の説明では、照明窓４２Ａ，４２Ｂにおいて、蛍光体４８Ａ，４８Ｂが設けられていない光ファイバ４４Ａ，４４Ｃから照明光が照射される部分を仮想的にまとめて第１の照明窓、設けられている光ファイバ４４Ｂ，４４Ｄから照明光が照射される部分を仮想的にまとめて第２の照明窓と称する。第１および第２の照明窓は、図３に示す通り、内視鏡スコープ２８の先端部の異なる位置に配置されている。
【００３８】
蛍光体４８Ａは、レーザ光源ＬＤ２からの青色レーザ光の一部を吸収して緑色〜黄色に励起発光する複数種の蛍光物質（例えばＹＡＧ系蛍光物質、或いはＢＡＭ（ＢａＭｇＡｌ10Ｏ17）等の蛍光物質）を含んで構成される。白色光観察用の励起光が蛍光体４８Ａに照射されると、蛍光体４８Ａから発せられる緑色〜黄色の励起発光光（蛍光）と、蛍光体４８Ａにより吸収されず透過した青色レーザ光とが合わされて、白色光（疑似白色光）が生成される。
【００３９】
図４は、青色レーザ光源からの青色レーザ光及び青色レーザ光が蛍光体により波長変換された発光スペクトルを示すグラフである。レーザ光源ＬＤ２から発せられる青色レーザ光は、中心波長４４５ｎｍの輝線で表され、青色レーザ光による蛍光体４８Ａからの励起発光光は、概ね４５０ｎｍ〜７００ｎｍの波長範囲で発光強度が増大する分光強度分布となる。この励起発光光と青色レーザ光との合波光によって、上述した疑似白色光が形成される。蛍光体４８Ｂも同様である。
【００４０】
ここで、本発明でいう白色光とは、厳密に可視光の全ての波長成分を含むものに限らず、例えば、上述した疑似白色光を始めとして、基準色であるＲ（赤），Ｇ（緑），Ｂ（青）等、特定の波長帯の光を含むものであればよい。つまり、本発明のいう白色光には、例えば、緑色から赤色にかけての波長成分を含む光や、青色から緑色にかけての波長成分を含む光等も広義に含まれるものとする。
【００４１】
前者（照明窓４２Ａ側）および後者（照明窓４２Ｂ側）の照明光学系は同等の構成および作用のものであって、照明窓４２Ａ，４２Ｂからは、基本的に同時に同等の照明光が照射される。
【００４２】
観察窓４３の奥には、被検体の被観察領域の像光を取り込むための対物レンズユニット５０等の光学系が取り付けられ、さらに対物レンズユニット５０の奥には、被観察領域の画像情報を取得するＣＣＤ(Charge Coupled Device）イメージセンサやＣＭＯＳ(Complementary Metal-Oxide Semiconductor）イメージセンサ等の撮像素子５２が取り付けられている。
【００４３】
撮像素子５２は、対物レンズユニット５０からの光を受光面（撮像面）で受光し、受光した光を光電変換して撮像信号（アナログ信号）を出力する。本実施形態の撮像素子５２はカラーＣＣＤイメージセンサであり、その受光面には、図５に示す分光透過率を有するＲ色、Ｇ色、Ｂ色のカラーフィルタ５４，５６，５８が設けられ、Ｒ画素、Ｇ画素、Ｂ画素の３色の画素を１組として、複数組の画素がマトリクス状に配列されている。
【００４４】
白色光は、その波長範囲が約４７０〜７００ｎｍであるため、Ｒ色、Ｇ色、Ｂ色のカラーフィルタ５４，５６，５８は、白色光のうちそれぞれの分光透過率に応じた波長の光を透過し、Ｒ画素、Ｇ画素およびＢ画素の撮像信号が出力される。一方、半導体レーザＬＤ１から発せられるレーザ光は、中心波長が４７３ｎｍであるため、その反射光はＢ色のカラーフィルタ５８のみを透過し、Ｂ画素の撮像信号のみが出力される。
【００４５】
光源装置１２から発せられる４系統の光は、それぞれ対応する光ファイバ４４Ａ〜４４Ｄによってスコープ先端部３８まで導光され、導光される光、もしくは、導光される光が蛍光体４８Ａ，４８Ｂに照射され、蛍光体４８Ａ，４８Ｂから発せられる白色光が、スコープ先端部３８の照明窓４２Ａ，４２Ｂから被検体の被観察領域に向けて照射される。そして、照明光が照射された被観察領域の様子が対物レンズユニット５０等により撮像素子５２の受光面上に結像され、撮像素子５２で光電変換されて撮像される。
【００４６】
撮像素子５２からは、撮像された被検体の被観察領域の撮像信号（アナログ信号）が出力される。撮像素子５２から出力される各画像の撮像信号（アナログ信号）は、スコープケーブル６０を通じてＡ／Ｄ変換器６２に入力される。Ａ／Ｄ変換器６２は、撮像素子５２からの撮像信号（アナログ信号）をその電圧レベルに対応する画像信号（デジタル信号）に変換する。変換後の画像信号は、コネクタ部３２Ｂを介してプロセッサ装置１６の画像処理部６６に入力される。
【００４７】
なお、図示はしていないが、操作部３０及び内視鏡スコープ２８の内部には、組織採取用処置具等を挿入する鉗子チャンネルや、送気・送水用のチャンネル等、各種のチャンネルが設けられている。
【００４８】
続いて、プロセッサ装置１６は、制御部６４と、画像処理部６６と、記憶部６８とを備えている。制御部６４には、表示装置１８および入力装置２０が接続されている。
【００４９】
制御部６４は、内視鏡装置１４の切り替えスイッチ６３や入力装置２０から入力される観察モード等の指示に基づいて、画像処理部６６、光源装置１２の光源制御部２２、および、表示装置１８の動作を制御する。
【００５０】
画像処理部６６は、制御部６４の制御の基で、観察モードに基づき、内視鏡装置１４から入力される画像信号に対して所定の画像処理を施す。画像処理部６６は、白色光画像処理部７２と、酸素飽和度画像処理部７４とを備えている。
【００５１】
白色光画像処理部７２は、白色光観察モードの場合に、内視鏡装置１４から入力される画像信号に対して、白色光画像に適した所定の画像処理を施し、白色光画像信号を出力する。
【００５２】
酸素飽和度画像処理部７４は、酸素飽和度観察モードの場合に、内視鏡装置１４から入力される画像信号に対して、第１および第２の照明窓から照射される照明光の配光分布の違いを補正し、被検体の血液量および血中ヘモグロビンの酸素飽和度の情報を算出し、算出した酸素飽和度の情報に基づいて、酸素飽和度の分布を疑似カラー表示するための酸素飽和度画像信号を出力する。酸素飽和度画像処理部７４は、配光分布補正部７５と、信号比算出部７６と、相関関係記憶部７８と、血液量−酸素飽和度算出部８０と、酸素飽和度画像生成部８２とを備えている。
【００５３】
ここで、内視鏡装置１４は、酸素飽和度観察モードの場合に、第１の照明光として４７３ｎｍの光を第１の照明窓から照射して被検体を撮像して第１の画像の画像信号を取得する。また、第３の照明光として４４５ｎｍの光を蛍光体４８Ａ，４８Ｂに照射することによって、第２の照明光として蛍光体４８Ａ，４８Ｂを透過した４４５ｎｍの照明光および蛍光体４８Ａ，４８Ｂから発せられる励起発光光を含む疑似白色光を第２の照明窓から照射して撮像して第２の画像の画像信号を取得する。さらに、第３の照明光を第１の照明窓からもしくは第１の照明光を第２の照明窓から照射して撮像して第３の画像の画像信号を取得する。
【００５４】
配光分布補正部７５は、第１および第２の画像の画像信号に現れる照明光の配光分布の違いを、第３の画像の画像信号を用いて補正する。
【００５５】
例えば、内視鏡装置１４が、第３の照明光を第１の照明窓から照射して撮像して第３の画像を取得する場合、配光分布補正手段７５は、第２および第３の画像の画像信号に基づいて補正係数を算出し、補正係数を用いて第１の画像の画像信号を補正する。また、内視鏡装置１４が、第１の照明光を第２の照明窓から照射して撮像して第３の画像を取得する場合、配光分布補正手段７５は、第１および第３の画像の画像信号に基づいて補正係数を算出し、補正係数を用いて第２の画像の画像信号を補正する。
【００５６】
信号比算出部７６は、血管部分の画像信号とそれ以外の部分の画像信号との差に基づいて、配光分布の違いが補正された画像信号から血管領域を特定する。そして、信号比算出部７６は、血管領域内の同じ位置の画素について、血中ヘモグロビンの酸素飽和度に応じて還元ヘモグロビンと酸化ヘモグロビンの吸光係数（吸光度）の大小関係が逆転する波長範囲の２つの狭帯域光の反射光に対応する画像信号をＳ１，Ｓ２とし、吸光係数が同じになる波長範囲の１つの狭帯域光の反射光に対応する画像信号をＳ３として、信号比Ｓ１／Ｓ３およびＳ２／Ｓ３を求める。
【００５７】
相関関係記憶部７８は、信号比Ｓ１／Ｓ３およびＳ２／Ｓ３と、血液量および酸素飽和度との相関関係を記憶している。この相関関係は、血管が図６に示すヘモグロビンの吸光係数を有する場合の相関関係であり、これまでの診断等で蓄積された多数の画像信号を分析することにより得られたものである。
【００５８】
図６に示すように、血中ヘモグロビンは、照射する光の波長によって吸光係数μａが変化する吸光特性を持っている。吸光係数μａは、ヘモグロビンの光の吸収の大きさである吸光度を表す。また、酸素と結合していない還元ヘモグロビン７０と、酸素と結合した酸化ヘモグロビン７１は、異なる吸光特性を持っており、同じ吸光度（吸光係数μａ）を示す等吸収点（図６における各ヘモグロビン７０，７１の交点）を除いて、吸光度に差が生じる。
【００５９】
一般的に、図６の分布は撮像対象の部位によって非線形に変化するため、実際の生体組織の計測や光伝播シミュレーション等により予め求めておく必要がある。
【００６０】
図７は、信号比Ｂ／ＧおよびＲ／Ｇと、血液量および酸素飽和度との相関関係を表すグラフである。このグラフの横軸はｌｏｇ（Ｒ／Ｇ）、縦軸はｌｏｇ（Ｂ／Ｇ）であり、信号比Ｒ／Ｇは信号比Ｓ１／Ｓ３に対応し、信号比Ｂ／Ｇは信号比Ｓ２／Ｓ３に対応するものとする。このグラフに示すように、信号比Ｒ／Ｇの値は、血液量に依存して変化し、血液量が大きくなるほど大きくなる。また、信号比Ｂ／Ｇの値は、血液量および酸素飽和度の両方に依存して変化する。つまり、信号比Ｂ／Ｇの値は、血液量が大きくなるほど大きくなるとともに、酸素飽和度が低くなるほど大きくなる。
【００６１】
血液量−酸素飽和度算出部８０は、相関関係記憶部７８に記憶された相関関係に基づき、信号比算出部７６で算出された信号比Ｓ１／Ｓ３およびＳ２／Ｓ３に対応する血液量および酸素飽和度を算出する。
【００６２】
酸素飽和度画像生成部８２は、酸素飽和度の大小に応じてカラー情報が割り当てられたカラーテーブルを備えている。カラーテーブルは、入力装置２０から入力される指示によって切り替えが可能であり、例えば、胃、十二指腸、小腸等のように、観察する部位に合ったものが選択される。酸素飽和度画像生成部８２は、カラーテーブルを用い、血液量−酸素飽和度算出部８０で算出された酸素飽和度に対応するカラー情報を特定する。そして、酸素飽和度画像生成部８２は、血管領域内の全ての画素についてのカラー情報を特定すると、例えば、白色光画像の画像信号に対してカラー情報を反映させることにより、血中ヘモグロビンの酸素飽和度が反映（疑似カラー表示）された酸素飽和度画像信号を生成する。
【００６３】
画像処理部６６で処理された画像信号は、制御部６４に送られ、制御部６４で各種情報と共に内視鏡観察画像にされて表示装置１８に表示され、必要に応じて、メモリやストレージ装置からなる記憶部６８に記憶される。
【００６４】
以下、血液量および酸素飽和度の算出方法について説明する。
【００６５】
被検体の粘膜組織内に光が入射すると、その一部は血管のところで吸収され、吸収されなかった光のさらに一部が反射光として戻ってくる。この時、血管の深さが深くなるほど、その上の組織からの散乱の影響を大きく受けることになる。
【００６６】
ところで、４７０〜７００ｎｍの波長範囲の光は、粘膜組織内での散乱係数が小さく、かつ波長依存性が小さいという性質がある。このため、この波長範囲の光を照明光として用いることによって、血管の深さの影響を低減しつつ、血液量および酸素飽和度の情報を含む血液情報を得ることができる。従って、内視鏡診断装置１０では、血中ヘモグロビンの酸素飽和度に応じて吸光係数が変化する２つ以上の波長範囲の反射光および変化しない１つ以上の波長範囲の反射光を含む、４６０〜７００ｎｍの波長範囲の異なる３つ以上の反射光に対応する画像信号を用いて、血中ヘモグロビンの酸素飽和度を算出する。
【００６７】
ここで、血中ヘモグロビンの吸光係数の波長依存性から、以下の３つのことが言える。
・波長４７０ｎｍ近辺（例えば、中心波長４７０ｎｍ±１０ｎｍのＢの波長範囲）では酸素飽和度の変化に応じて吸光係数が大きく変化する。
・５４０〜５８０ｎｍのＧの波長範囲で平均すると、酸素飽和度の影響を受けにくい。
・５９０〜７００ｎｍのＲの波長範囲では、酸素飽和度によって一見吸光係数が大きく変化するように見えるが、吸光係数の値自体が非常に小さいので、結果的に酸素飽和度の影響を受けにくい。
【００６８】
また、粘膜の反射スペクトルから以下の２つの性質がある。
・Ｒの波長範囲ではヘモグロビンの影響がほとんどないと見なせるが、Ｇの波長範囲では吸収が生じるので、血液量（血管の太さあるいは血管の密度に対応）が大きいほど、Ｇの波長範囲での反射率とＲの波長範囲での反射率との差が大きくなる。
・波長４７０ｎｍ近辺の反射率とＧの波長範囲での反射率との差は、酸素飽和度が低いほど大きくなり、同時に、血液量が大きいほど大きくなる。
【００６９】
つまり、Ｂ画素の画像信号ＢとＧ画素の画像信号Ｇとの間の信号比Ｂ／Ｇは、その値が酸素飽和度および血液量の両方に依存して変化し、Ｇ画素の画像信号ＧとＲ画素の画像信号Ｒとの間の信号比Ｒ／Ｇは、その値が主に血液量だけに依存して変化する。従って、この性質を利用することによって、波長４７０ｎｍ近辺、ＧおよびＲの波長範囲を含む３波長範囲の分光画像から、酸素飽和度と血液量とを分離してそれぞれの値を正確に算出することができる。これに基づいて作成したものが、信号比Ｂ／ＧおよびＲ／Ｇと、血液量および酸素飽和度との相関関係を表す前述の図７のグラフである。
【００７０】
次に、配光分布の違いの補正方法について説明する。
【００７１】
酸素飽和度は、例えば、前述の第１および第２の画像の画像信号を用いて算出することができる。しかし、第１および第２の画像の撮像時には、照明光が照射される照明窓が異なる（第１の画像の撮像時は第１の照明窓、第２の画像の撮像時は第２の照明窓）ため、被検体上の配光分布が異なる。配光分布の違いを補正せずに酸素飽和度を算出すると、不適切な値が算出される虞があるため、前述のように、第３の画像の画像信号を利用して、第１および第２の画像の画像信号に現れる配光分布の違いを補正する。
【００７２】
ここで、酸素飽和度観察モードの場合に、内視鏡装置１４によって撮像される第１の画像の画像信号をＢ１，Ｇ１，Ｒ１、第２の画像の画像信号をＢ２，Ｇ２，Ｒ２、第３の画像の画像信号をＢ３，Ｇ３，Ｒ３とする。
【００７３】
撮像素子５２の分光感度と蛍光体４８Ａ，４８Ｂから発せられる白色光のスペクトルとから、画像信号Ｂ２は、中心波長４４５ｎｍの励起光と、蛍光体４８Ａ，４８Ｂから発せられる少量の励起発光光の画像信号とだけを含む信号となる。そのため、画像信号Ｂ２は、おおよそ中心波長４４５ｎｍ単色の照明光による画像の画像信号に近いと見なすことができる。
【００７４】
従って、内視鏡装置１４が、第３の照明光を第１の照明窓から照射して撮像して第３の画像を取得する場合、配光分布補正部７５は、画像信号Ｂ２と画像信号Ｂ３との信号比Ｃ＝Ｂ２／Ｂ３を算出して補正係数とし、この補正係数Ｃを第１の画像の画像信号Ｂ１，Ｇ１，Ｒ１に掛けることによって、第１の照明窓から照射される照明光の配光分布を、第２の照明窓から照射される照明光の配光分布に合わせるように補正することができる。
【００７５】
一方、内視鏡装置１４が、第１の照明光を第２の照明窓から照射して撮像して第３の画像を取得する場合、配光分布補正部７５は、画像信号Ｂ１と画像信号Ｂ３との信号比Ｃ＝Ｂ１／Ｂ３を算出して補正係数とし、この補正係数Ｃを画像信号Ｂ２，Ｇ２，Ｒ２に掛けることによって、第２の照明窓から照射される照明光の配光分布を、第１の照明窓から照射される照明光の配光分布に合わせるように補正することができる。
【００７６】
ここで、配光分布の違いを表す補正係数Ｃは、本来空間的に細かい構造を持っていない。そのため、低周波成分抽出手段を用いて、補正係数Ｃを算出するために用いる画像信号Ｂ２およびＢ３から、画像を縮小する、あるいは、平均値フィルタを掛けるなどして低周波成分の信号のみを抽出し、データ量を削減しておくことが望ましい。
【００７７】
また、第１および第２の画像の撮像時には、照明光が照射される照明窓の位置が異なるため、光源の正反射によって、画像上に現れる白色の輝点の位置が異なる。そのため、補正係数Ｃを算出するためには、この白色の輝点の影響を受けないように、輝点領域除去手段を用いて、画像信号Ｂ２およびＢ３から輝点領域を除去した後に低周波成分を抽出することが望ましい。白色の輝点を除去する方法としては、例えば、画像信号に閾値を設けて、ある閾値以上の画像信号を持つ領域を、周辺の画像信号値に置換する方法を例示することができる。
【００７８】
次に、内視鏡診断装置１０の動作を説明する。
まず、白色光観察モードの場合の動作を説明する。
【００７９】
観察モード等の指示が、内視鏡装置１４の切り替えスイッチ６３や入力装置２０からプロセッサ装置１６の制御部６４に入力され、白色光観察モードに設定される。
【００８０】
白色光観察モードの場合、プロセッサ装置１６の制御部６４により光源装置１２の光源制御部２２の動作が制御され、レーザ光源ＬＤ１がオフ、レーザ光源ＬＤ２がオンとされ、レーザ光源ＬＤ２から２系統の白色光観察用の励起光が発せられる。
【００８１】
内視鏡装置１４では、光源装置１２から発せられる２系統の白色光観察用の励起光が、それぞれ、光ファイバ４４Ｂ，４４Ｄによってスコープ先端部３８の蛍光体４８Ａ，４８Ｂへ導光される。これにより、蛍光体４８Ａ，４８Ｂから白色光が発せられ、それぞれ、レンズ４６Ｂ，４６Ｄを介して照明窓４２Ａ，４２Ｂから被検体の被観察領域に照射される。そして、被観察領域からの反射光が対物レンズユニット５０により集光され、撮像素子５２により光電変換されて白色光画像の撮像信号（アナログ信号）が出力される。
【００８２】
白色光画像の撮像信号（アナログ信号）は、Ａ／Ｄ変換器６２により画像信号（デジタル信号）に変換され、観察モードに従って、画像処理部６８の白色光画像処理部７２により白色光画像に適した所定の画像処理が施され、白色光画像信号が出力される。そして、制御部６４により、白色光画像信号から白色光画像が発生され、白色光画像が表示装置１８上に表示される。
【００８３】
次に、酸素飽和度観察モードの場合の動作を説明する。
【００８４】
まず、観察モードが、通常光画像モードから酸素飽和度観察モードに切り替えられる。酸素飽和度観察モードになると、このモード切替時点での白色光画像信号が、酸素飽和度画像の生成に用いられる基準画像として記憶部６８に記憶される。また、入力装置２０の操作によって、胃、十二指腸、小腸など現時点での観察部位の情報が指定される。これにより、酸素飽和度画像生成部８２において、その観察部位に応じたカラーテーブルが選択される。
【００８５】
酸素飽和度観察モードでは、３フレームを１組として、１フレーム毎に照射パターンの異なる照明光が照射される。まず、第１フレームにおいてＬＤ１がオン、ＬＤ２がオフとされ、光源装置１２から２系統の酸素飽和度観察用のレーザ光が発せられる。
【００８６】
内視鏡装置１４では、光源装置１２から発せられる２系統の酸素飽和度観察用のレーザ光が、それぞれ、光ファイバ４４Ａ，４４Ｃによってスコープ先端部３８まで導光され、レンズ４６Ａ，４６Ｃを介して第１の照明窓から被検体の被観察領域に照射される。そして、被観察領域からの反射光が対物レンズユニット５０により集光され、撮像素子５２により光電変換されて酸素飽和度観察用の狭帯域光画像（第１の画像）の撮像信号（アナログ信号）が出力される。狭帯域光画像の撮像信号（アナログ信号）は、Ａ／Ｄ変換器６２により画像信号（デジタル信号）に変換された後、一旦、制御部６４の制御により記憶部６８に記憶される。
【００８７】
続いて、第２フレームにおいてＬＤ１がオフ、ＬＤ２がオンとされ、光源装置１２から２系統の白色光観察用の励起光が発せられる。そして、内視鏡装置１４において、励起光が蛍光体４８Ａ，４８Ｂに照射されて白色光が発せられ、蛍光体４８Ａ，４８Ｂから発せられる白色光が第２の照明窓から照射される。この時の内視鏡装置１４の動作は、白色光観察モードの場合と同じであり、白色光画像（第２の画像）の画像信号である白色光画像信号が記憶部６８に記憶される。
【００８８】
第３フレームでは、第２フレームにおけるＬＤ１がオフ、ＬＤ２がオンの状態が継続され、光源装置１２から２系統の配光分布補正用のレーザ光が発せられ、第１の照明窓から照射される。この時の内視鏡装置１４の動作は第１フレームの場合と同様であり、配光分布補正用の狭帯域光画像（第３の画像）の画像信号が記憶部６８に記憶される。
【００８９】
ここで、第１フレームで得られる第１の画像の画像信号をＢ１，Ｇ１，Ｒ１、第２フレームで得られる第２の画像の画像信号をＢ２，Ｇ２，Ｒ２、第３フレームで得られる第３の画像の画像信号をＢ３，Ｇ３，Ｒ３とする。Ｂ１は、中心波長４７３ｎｍの単色照明の画像信号、Ｇ２は、蛍光体４８Ａ，４８Ｂから発せられる励起発光光の主として５４０〜５８０ｎｍの波長範囲の分光照明の画像信号、Ｒ２は、同５９０〜７００ｎｍの波長範囲の分光照明の画像信号である。また、Ｂ１およびＲ２は、血中ヘモグロビンの酸素飽和度に応じて吸光係数が変化する２つの波長範囲の反射光に対応する画像信号であり、Ｇ２は、吸光係数が変化しない１つの波長範囲の反射光に対応する画像信号である。
【００９０】
配光分布補正部７５は、第１〜第３の画像の画像信号が記憶部６８に記憶された後、記憶部６８に記憶されている第１〜第３の画像の画像信号を読み出す。そして、画像信号Ｂ２と画像信号Ｂ３との信号比Ｃ＝Ｂ２／Ｂ３を算出して補正係数とし、この補正係数Ｃを画像信号Ｂ１，Ｇ１，Ｒ１に掛けることによって、第１の照明窓から照射される照明光の配光分布を、第２の照明窓から照射される照明光の配光分布に合わせるように補正する。補正後の第１の画像の画像信号は再度記憶部６８に記憶される。
【００９１】
続いて、信号比算出部７６は、まず、記憶部６８に記憶されている第１の画像（酸素飽和度観察用の狭帯域光画像）および第２の画像（白色光画像）から、血管を含む血管領域を特定する。続いて、信号比算出部７６は、血管領域内の同じ位置の画素について、画像信号Ｂ１と画像信号Ｇ２との間の信号比Ｂ１／Ｇ２と、画像信号Ｇ２と画像信号Ｒ２との間の信号比Ｒ２／Ｇ２を算出する。
【００９２】
前述のように、信号比Ｂ１／Ｇ２は、その値が酸素飽和度および血液量の両方に依存して変化し、信号比Ｒ２／Ｇ２は、その値が主に血液量だけに依存して変化する。血液量−酸素飽和度算出部８０は、図７に示す、相関関係記憶部７８に記憶されている、これらの信号比Ｂ１／Ｇ２およびＲ２／Ｇ２と、血液量および酸素飽和度との間の相関関係に基づいて、信号比Ｂ１／Ｇ２およびＲ２／Ｇ２に対応する、血液量および酸素飽和度の情報を算出する。
【００９３】
酸素飽和度画像生成部８２は、血液量および酸素飽和度が求まると、選択されたカラーテーブルに基づき、酸素飽和度に対応するカラー情報を特定する。そして、血管領域内の全ての画素について、上述した手順で、血液量および酸素飽和度を求め、酸素飽和度に対応するカラー情報を特定する。そして、血管領域内の全ての画素について酸素飽和度とそれに対応するカラー情報が得られると、酸素飽和度画像生成部８２は、記憶部６８から基準画像となる白色光画像信号を読み出し、この白色光画像に対してカラー情報を反映させることにより、酸素飽和度画像信号を生成する。生成された酸素飽和度画像信号は、記憶部６８に記憶される。
【００９４】
そして、制御部６４は、記憶部６８から酸素飽和度画像信号を読み出し、読み出した酸素飽和度画像信号に基づいて、酸素飽和度画像を表示装置１８に疑似カラー表示する。
【００９５】
上記のようにして、内視鏡診断装置１０では、第１および第２の照明窓から照射される照明光の配光分布の違いを補正することにより、正確な酸素飽和度画像を得ることができるため、医師による診断精度を向上させることができる。また、内視鏡診断装置１０では、血管の深さの影響を低減しつつ、血液量を考慮して酸素飽和度の情報を正確に算出し、酸素飽和度の分布を疑似カラー画像として表示することができる。
【００９６】
次に、第２の実施形態について説明する。
【００９７】
図８は、本発明に係る内視鏡診断装置の構成を表す第２の実施形態の外観図、図９は、その内部構成を表すブロック図である。以下、第２の実施形態の内視鏡診断装置１１について、第１の実施形態の内視鏡診断装置１０と異なる部分を中心に説明する。
【００９８】
本実施形態の内視鏡診断装置１１は、白色光観察モードと、被検体に白色光と自家蛍光観察用の励起光とを交互に照射して白色光画像と自家蛍光画像とを交互に撮像し、両者の合成画像を生成（して観察）する自家蛍光観察モードとを有する。
【００９９】
光源装置１２のレーザ光源ＬＤ１からは、中心波長が４０５ｎｍである、所定の波長範囲（例えば、中心波長±１０ｎｍ）の狭帯域光が発せられる。レーザ光源ＬＤ１は、自家蛍光観察用の励起光を発する光源である。
【０１００】
内視鏡装置１４の内視鏡スコープ２８の先端部には、撮像素子５２の受光面で受光される光のうち、光源装置１２から照射される励起光を含む所定の波長範囲の光をカット（遮光）する励起光カットフィルタ５９がキャップとして装着されている。
【０１０１】
図１０は、励起光カットフィルタの分光透過率特性を表すグラフである。グラフの縦軸は光強度、横軸は光の波長である。このグラフに示すように、所定の光強度の中心波長４０５ｎｍの励起光を被検体に照射すると、励起光が照射された被検体の部位から、約４２０〜６５０ｎｍの波長帯域の自家蛍光が発せられる。自家蛍光は、励起光と比べて極めて微弱な光であるため、自家蛍光を観察するためには、励起光カットフィルタ５９によって励起光をカットする必要がある。
【０１０２】
このグラフに示す励起光カットフィルタ５９は、励起光の４０５ｎｍ±１０ｎｍの波長範囲を含む４１５ｎｍ以下の波長範囲の光をカットする。つまり、励起光カットフィルタ５９を透過する光のうち、４１５ｎｍ以下の波長範囲の光は遮光され、撮像素子５２の受光面には受光されない。なお、励起光の波長範囲の光のみをカットすればよく、これ以外の波長範囲の光はカットしない方が望ましい。
【０１０３】
プロセッサ装置１６の画像処理部６６は、白色光画像処理部７２と、自家蛍光画像処理部８４とを備えている。
【０１０４】
自家蛍光画像処理部８４は、自家蛍光観察モードの場合に、内視鏡装置１４から入力される画像信号に対して、第１および第２の照明窓から照射される照明光の配光分布の違いを補正し、白色光画像と自家蛍光画像との合成画像の画像信号（自家蛍光画像信号）を出力する。自家蛍光画像処理部８４は、配光分布補正部７５と、自家蛍光信号算出部８６と、自家蛍光画像生成部８８とを備えている。
【０１０５】
ここで、内視鏡装置１４は、自家蛍光観察モードの場合に、第１の照明光として４０５ｎｍの光を照射して被検体を撮像して第１の画像の画像信号を取得する。また、第３の照明光として４４５ｎｍの光を蛍光体４８Ａ，４８Ｂに照射することによって、第２の照明光として蛍光体４８Ａ，４８Ｂから発せられる疑似白色光を照射して撮像して第２の画像の画像信号を取得する。さらに、第３の照明光を第１の照明窓からもしくは第１の照明光を第２の照明窓から照射して撮像して第３の画像の画像信号を取得する。
【０１０６】
第１の実施形態の場合と同様に、第１および第２の画像の撮像時には、照明光が照射される照明窓が異なる（第１の画像の撮像時は第１の照明窓、第２の画像の撮像時は第２の照明窓）ため、被検体上の配光分布が異なる。配光分布の違いを補正せずに自家蛍光画像信号を算出すると、不適切な値が算出される虞があるため、配光分布補正部７５は、第１の実施形態の場合と同様にして、第３の画像の画像信号を利用して、第１および第２の画像の画像信号に現れる配光分布の違いを補正する。
【０１０７】
自家蛍光画像は、白色光画像と比べて輝度成分が非常に微弱であるため、両者の合成画像において自家蛍光画像を適切に観察するためには、両者の特性（γ値、輝度レベル、コントラスト等）のバランスを適切に設定する必要がある。自家蛍光信号算出部８６は、配光分布の違いが補正された画像信号に基づいて、自家蛍光観察用の狭帯域光画像（第１の画像）の画像信号と、参照画像としての白色光画像（第２の画像）の画像信号とのバランスを調整するために、自家蛍光観察用の狭帯域光画像の画像信号を補正することによって自家蛍光信号を算出する。
【０１０８】
自家蛍光画像生成部８８は、白色光画像信号と蛍光画像信号とを画素毎に合成することにより、参照画像となる白色光画像において自家蛍光の分布が反映されるように疑似カラーで表現された合成画像の画像信号（自家蛍光画像信号）を生成する。
【０１０９】
次に、自家蛍光観察モードの場合の動作を説明する。
【０１１０】
自家蛍光観察モードでは、３フレームを１組として、１フレーム毎に照射パターンの異なる照明光が照射される。内視鏡装置１４において、第１〜第３フレームで第１〜第３の画像の画像信号が記憶部６８に記憶され、プロセッサ装置１６において、配光分布の違いが補正されるまでの動作は、レーザ光源ＬＤ１から照射される酸素飽和度観察用のレーザ光が自家蛍光観察用のレーザ光になる点を除いて、第１の実施形態の場合と同様である。
【０１１１】
自家蛍光信号算出部８６は、第１〜第３の画像の画像信号が記憶部６８に記憶された後、記憶部６８に記憶されている第１〜第３の画像の画像信号を読み出す。そして、例えば、自家蛍光観察用の狭帯域光画像（第１の画像）のＧ画素の画像信号Ｇ１と、参照画像としての白色光画像（第２の画像）のＧ画素の画像信号Ｇ２との信号比Ｇ１／Ｇ２に基づいて、両者のバランスを調整するために、自家蛍光観察用の狭帯域光画像の画像信号を補正することによって自家蛍光信号を算出する。
【０１１２】
自家蛍光画像生成部８８は、例えば、白色光画像のＲ画像およびＢ画像をそれぞれＲチャンネル信号およびＢチャンネル信号として割り当て、自家蛍光画像のＧ画像をＧチャンネル信号として割り当てて、ＲＧＢの各チャンネル信号を合成することによって、自家蛍光の分布が疑似カラーで表現される合成画像の画像信号（自家蛍光画像信号）を生成する。合成画像は、例えば、正常部がＧ色の色調で表示され、病変部がマゼンタの色調で表示されるように合成処理される。
【０１１３】
そして、制御部６４は、記憶部６８から自家蛍光画像信号を読み出し、読み出した自家蛍光画像信号に基づいて、参照画像となる白色光画像と自家蛍光画像との合成画像を表示装置１８に表示する。
【０１１４】
第２の実施形態の内視鏡診断装置１１においても、第１および第２の照明窓から照射される照明光の配光分布の違いを補正することにより、正確な自家蛍光画像を得ることができるため、医師による診断精度を向上させることができる。
【０１１５】
なお、内視鏡装置は、血中ヘモグロビンの酸素飽和度に応じて吸光係数が変化する２つの波長範囲の反射光および吸光係数が変化しない１つの波長範囲の反射光を含む、４６０〜７００ｎｍの波長範囲の異なる３つ以上の反射光に対応する画像信号を取得することができればよく、光源の種類（レーザ光源、白色光光源、レーザ光源および蛍光体の組合せ、など）および波長、撮像素子の種別（カラーもしくはモノクロ）、照明光の照射パターン（１フレーム毎、複数フレームを１組とする、など）、照明光学系の形態（１灯、２灯、４灯、など）等の組合せは、必要に応じて適宜変更することができる。
【０１１６】
本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【符号の説明】
【０１１７】
１０，１１  内視鏡診断装置
１２  光源装置
１４  内視鏡装置
１６  プロセッサ装置
１８  表示装置
２０  入力装置
２２  光源制御部
ＬＤ１，ＬＤ２  レーザ光源
２４  コンバイナ
２６  カプラ
２８  内視鏡スコープ
３０  操作部
３２Ａ，３２Ｂ  コネクタ部
３４  軟性部
３６  湾曲部
３８  スコープ先端部
４０  アングルノブ
４２Ａ，４２Ｂ  照明窓
４３  観察窓
４４Ａ〜４４Ｄ  光ファイバ
４６Ａ〜４６Ｄ  レンズ
４８Ａ，４８Ｂ  蛍光体
５０  対物レンズユニット
５２  撮像素子
５４，５６，５８  カラーフィルタ
５９  励起光カットフィルタ
６０  スコープケーブル
６２  Ａ／Ｄ変換器
６３  切り替えスイッチ
６４  制御部
６６  画像処理部
６８  記憶部
７０  還元ヘモグロビン
７１  酸化ヘモグロビン
７２  白色光画像処理部
７４  酸素飽和度画像処理部
７５  配光分布補正部
７６  信号比算出部
７８  相関関係記憶部
８０  血液量−酸素飽和度算出部
８２  酸素飽和度画像生成部
８４  自家蛍光画像処理部
８６  自家蛍光信号算出部
８８  自家蛍光画像生成部
【図１】
2012100733.tif 000003
【図２】
2012100733.tif 000004
【図３】
2012100733.tif 000005
【図４】
2012100733.tif 000006
【図５】
2012100733.tif 000007
【図６】
2012100733.tif 000008
【図７】
2012100733.tif 000009
【図８】
2012100733.tif 000010
【図９】
2012100733.tif 000011
【図１０】
2012100733.tif 000012